(57)【要約】【課題】家の外への放送信号の漏れを防止するとともに、各部屋の機器へ放送信号を無線により簡便に送信することができる放送信号受信システムを提供する。【解決手段】アンテナ１と、アンテナ１と接続される送信装置２と、送信装置２と無線接続により接続される受信装置３と、受信装置３と接続される放送信号受信装置４と、を備える放送信号受信システム１００において、送信装置２に、放送信号を符号化する符号部２２と、ＣＰＵ２７１に変調部２４を制御して符号化された放送信号の波長をｃｍ波帯に変調させる変調プログラム２７３Ｃと、変調された放送信号を受信装置３に無線により送信する送受信部２５と、を備え、受信装置３に、放送信号を受信する送受信部３１と、放送信号を復調する復調部３２と、復調された放送信号を復号化する復号部３３と、を備えた。【選択図】図２
2007195003.tif 000002
【特許請求の範囲】
【請求項１】
アンテナと、前記アンテナと接続される送信装置と、前記送信装置と無線接続により接続される受信装置と、前記受信装置と接続される放送信号受信装置と、を備える放送信号受信システムにおいて、
前記送信装置は、
前記アンテナから出力される放送信号を符号化する符号化手段と、
前記符号化手段により符号化された放送信号の波長をｃｍ波帯に変調する変調手段と、
前記変調手段が変調する放送信号の波長をｃｍ波帯内で設定するための調整手段と、
前記変調手段により変調された放送信号を前記受信装置に無線により送信する送信部と、を備え、
前記受信装置は、
前記送信装置から送信された放送信号を受信する受信部と、
前記受信部により受信された放送信号を復調する復調手段と、
前記復調手段により復調された放送信号を復号化する復号化手段と、
前記復号化手段により復号化された放送信号を分波して前記放送信号受信装置に出力する分波手段と、
を備え、
前記変調手段は、前記調整手段により設定された波長に前記符号化手段により符号化された放送信号を変調することを特徴とする放送信号受信システム。
【請求項２】
アンテナと、前記アンテナと接続される送信装置と、前記送信装置と無線接続により接続される受信装置と、を備える放送信号受信システムにおいて、
前記送信装置は、
前記アンテナから出力される放送信号を符号化する符号化手段と、
前記符号化手段により符号化された放送信号の波長をｃｍ波帯に変調する変調手段と、
前記変調手段により変調された放送信号を前記受信装置に無線により送信する送信部と、を備え、
前記受信装置は、
前記送信装置から送信された放送信号を受信する受信部と、
前記受信部により受信された放送信号を復調する復調手段と、
前記復調手段により復調された放送信号を復号化する復号化手段と、
を備えることを特徴とする放送信号受信システム。
【請求項３】
前記送信装置は、
前記変調手段が変調する放送信号の波長をｃｍ波帯内で設定するための調整手段を備え、
前記変調手段は、前記調整手段により設定された波長に前記符号化手段により符号化された放送信号を変調することを特徴とする請求項２に記載の放送信号受信システム。
【発明の詳細な説明】
【技術分野】
【０００１】
本発明は、放送信号受信システムに関する。
【背景技術】
【０００２】
従来、アンテナで受信した放送信号を各部屋の機器に送信する場合、部屋内の壁等に設けられたアンテナ端子と各機器とをケーブル接続し、当該ケーブルを介してアンテナからの放送信号を各機器に送信していた。しかし、部屋数が多い場合や放送信号を送信したい機器が多数ある場合などでは、各機器まで多数のケーブルが接続されることとなって、当該多数のケーブルにより部屋内の清掃及びメンテナンス等が非常に不便であった。そこで、アンテナにより受信した放送信号をミリ波帯（６０ＧＨｚ）の放送信号に変換して無線により各機器に送信する放送信号受信システムが知られている（例えば、特許文献１）。
また、アンテナで受信した放送信号を分配器により分配し、分配した放送信号を分配器から同軸ケーブルにより各部屋内に設置された送信装置に送信し、各送信装置により各部屋内の機器に当該放送信号を無線により送信する放送信号受信システムも知られている（例えば、特許文献２）。
また、室内の天井に設置され、アンテナからの放送信号を室内の各機器に無線又は赤外線等により送信する送信装置（例えば、特許文献３）や、放送信号が届きにくいビル等の屋内に放送信号を増幅器等により増幅して無線により送信する送信装置（例えば、特許文献４）も知られている。
無線通信は、この他、ローカルエリアネットワークにも利用されている（例えば、特許文献５）。
【特許文献１】特開２００２−１１１６１５号公報
【特許文献２】特開２０００−２３２４６２号公報
【特許文献３】特開２００１−１５７０８０号公報
【特許文献４】特開２００４−１２８７２０号公報
【特許文献５】特開２００２−１５８６８７号公報
【発明の開示】
【発明が解決しようとする課題】
【０００３】
しかしながら、特許文献１に記載のミリ波帯の放送波では、壁等に遮断されてしまうため、実際には、部屋数が多い場合などでは、十分に各部屋の機器に放送信号を送信することができない。また、特許文献２では、分配器から各部屋に同軸ケーブルを設置しなければならず、システム自体が大掛かりなものになってしまう。また、特許文献３の送信装置では、同一室内の機器にしか放送信号を送信することができず、特許文献４に記載の送信装置では、放送信号をそのまま増幅しているので、ビル等よりも小さい一戸建てやマンション等では、隣家にも放送信号が漏れてしまうという問題がある。
【０００４】
本発明の課題は、家の外への放送信号の漏れを防止するとともに、各部屋の機器へ放送信号を無線により簡便に送信することができる放送信号受信システムを提供することである。
【課題を解決するための手段】
【０００５】
請求項１に記載の発明は、アンテナと、前記アンテナと接続される送信装置と、前記送信装置と無線接続により接続される受信装置と、前記受信装置と接続される放送信号受信装置と、を備える放送信号受信システムにおいて、
前記送信装置は、
前記アンテナから出力される放送信号を符号化する符号化手段と、
前記符号化手段により符号化された放送信号の波長をｃｍ波帯に変調する変調手段と、
前記変調手段が変調する放送信号の波長をｃｍ波帯内で設定するための調整手段と、
前記変調手段により変調された放送信号を前記受信装置に無線により送信する送信部と、を備え、
前記受信装置は、
前記送信装置から送信された放送信号を受信する受信部と、
前記受信部により受信された放送信号を復調する復調手段と、
前記復調手段により復調された放送信号を復号化する復号化手段と、
前記復号化手段により復号化された放送信号を分波して前記放送信号受信装置に出力する分波手段と、
を備え、
前記変調手段は、前記調整手段により設定された波長に前記符号化手段により符号化された放送信号を変調することを特徴としている。
【０００６】
請求項２に記載の発明は、アンテナと、前記アンテナと接続される送信装置と、前記送信装置と無線接続により接続される受信装置と、を備える放送信号受信システムにおいて、
前記送信装置は、
前記アンテナから出力される放送信号を符号化する符号化手段と、
前記符号化手段により符号化された放送信号の波長をｃｍ波帯に変調する変調手段と、
前記変調手段により変調された放送信号を前記受信装置に無線により送信する送信部と、を備え、
前記受信装置は、
前記送信装置から送信された放送信号を受信する受信部と、
前記受信部により受信された放送信号を復調する復調手段と、
前記復調手段により復調された放送信号を復号化する復号化手段と、
を備えることを特徴としている。
【０００７】
請求項３に記載の発明は、請求項２に記載の放送信号受信システムにおいて、
前記送信装置は、
前記変調手段が変調する放送信号の波長をｃｍ波帯内で設定するための調整手段を備え、
前記変調手段は、前記調整手段により設定された波長に前記符号化手段により符号化された放送信号を変調することを特徴としている。
【発明の効果】
【０００８】
請求項１に記載の発明によれば、送信装置において、符号化手段により、アンテナから出力される放送信号が符号化され、変調手段により、符号化された放送信号の波長がｃｍ波帯に変調され、送信部により、変調された放送信号が受信装置に無線により送信され、受信装置において、受信部により、送信装置から送信された放送信号が受信され、復調手段により、放送信号が復調され、復号化手段により、復調された放送信号が復号化される。従って、送信装置から送信される放送信号がｃｍ波帯に変調されているので、小さい一戸建てやマンション等で隣家に当該放送信号が漏れてしまうことを防ぐことができるとともに、ｃｍ波帯に変調された放送信号は壁等に遮断されてしまうことなく各受信装置に放送信号を送信することができることとなって、家の外への放送信号の漏れを防止するとともに、各部屋の機器へ放送信号を確実に送信することができる。
また、送信装置から受信装置へは、放送信号が無線により送信されるので、アンテナ端子と各機器をケーブルにより接続しなくてもよく、各部屋の機器へ放送信号を無線により簡便に送信することができる。
【０００９】
また、分波手段により、復号化手段によって復号化された放送信号が分波されて放送信号受信装置に出力されるので、送信装置から送信される放送信号が、例えば、ＦＭ信号，ＡＭ信号，地上デジタル信号，ＢＳ・ＣＳ信号，地上アナログ信号等が混合されたものであっても、各放送信号受信装置に必要な放送信号に分波することができる。
【００１０】
また、変調手段は、調整手段により設定された波長に符号化手段により符号化された放送信号を変調するので、放送信号を送信する範囲に応じて変調する放送信号の波長を調整することができ、より確実に家の外への放送信号の漏れを防止するとともに、より確実に各部屋の機器へ放送信号を送信することができる。
【００１１】
請求項２に記載の発明によれば、送信装置において、符号化手段により、アンテナから出力される放送信号が符号化され、変調手段により、符号化された放送信号の波長がｃｍ波帯に変調され、送信部により、変調された放送信号が受信装置に無線により送信され、受信装置において、受信部により、送信装置から送信された放送信号が受信され、復調手段により、放送信号が復調され、復号化手段により、復調された放送信号が復号化される。従って、送信装置から送信される放送信号がｃｍ波帯に変調されているので、小さい一戸建てやマンション等で隣家に当該放送信号が漏れてしまうことを防ぐことができるとともに、ｃｍ波帯に変調された放送信号は壁等に遮断されてしまうことなく各受信装置に放送信号を送信することができることとなって、家の外への放送信号の漏れを防止するとともに、各部屋の機器へ放送信号を確実に送信することができる。
また、送信装置から受信装置へは、放送信号が無線により送信されるので、アンテナ端子と各機器をケーブルにより接続しなくてもよく、各部屋の機器へ放送信号を無線により簡便に送信することができる。
【００１２】
請求項３に記載の発明によれば、請求項２に記載の発明と同様の効果が得られるのは勿論のこと、特に、変調手段は、調整手段により設定された波長に符号化手段により符号化された放送信号を変調するので、調整手段により放送信号を送信する範囲に応じて変調する放送信号の波長を設定することができ、より確実に家の外への放送信号の漏れを防止するとともに、より確実に各部屋の機器へ放送信号を送信することができる。
【発明を実施するための最良の形態】
【００１３】
以下、図を参照して、本発明に係る放送信号受信システムを実施するための最良の形態を詳細に説明する。
【００１４】
まず、本発明に係る放送信号受信システム１００の構成について図を参照しながら説明する。
本発明に係る放送信号受信システム１００は、例えば、アンテナ１，当該アンテナ１と接続される送信装置２，当該送信装置２と無線接続により接続される受信装置３，当該受信装置３と接続される放送信号受信装置４等を備えて構成されている。
また、１つの送信装置２に接続される受信装置３の数は任意である。
【００１５】
アンテナ１は、パラボラアンテナやＵＨＦアンテナ等であり、ＦＭ放送，ＡＭ放送，地上デジタル放送，ＢＳ・ＣＳ放送，地上アナログ放送等の放送波を受信し、ＦＭ信号，ＡＭ信号，地上デジタル信号，ＢＳ・ＣＳ・地上アナログ信号等の放送信号を送信装置２に出力する。なお、ＣＡＴＶ回線を介して放送波を受信する場合には、接続ケーブル（図示省略）等が備えられてもよい。
【００１６】
送信装置２は、例えば、図２に示すように、リミッタ２１，符号部２２，ブースタ２３，変調部２４，送受信部２５，調整部２６，制御部２７，電源２８等を備えて構成される。
【００１７】
リミッタ２１は、例えば、雷などにより、アンテナ１から瞬間的に出力される高電圧が送信装置２に出力されてしまうのを防ぐ。
【００１８】
符号部２２は、例えば、リミッタ２１から出力される放送信号に符号化処理を行い、ブースタ２３へ出力する。これにより、符号部２２は符号化手段として機能する。
【００１９】
ブースタ２３は、例えば、符号部２２から出力される放送信号の振幅を増幅することにより、放送信号を増幅する。
【００２０】
変調部２４は、例えば、変調回路等を備えて構成され、ブースタ２３から出力される放送信号の波長をｃｍ波帯に変調する。より具体的には、ブースタ２３から出力される放送信号を、例えば、５〜８ＧＨｚの放送信号に変調する。これにより、変調部２４は、変調手段の一部として機能する。
【００２１】
送受信部２５は、例えば、無線通信により、送信装置２と受信装置３との間の通信を行う。例えば、送受信部２５は、変調部２４から出力される放送信号を受信装置３に送信する。これにより、送受信部２５は、送信部として機能する。
【００２２】
調整部２６は、例えば、変調部２４において変調される放送信号の波長をｃｍ波帯内で設定するための各種キー（図示省略）等を備えて構成され、ユーザにより当該各種キーが操作されることにより、変調部２４において変調される放送信号の波長の設定値が制御部２７に出力される。より具体的には、調整部２６は、例えば、当該送信装置２が放送信号を送信する範囲の広さを設定するためのキーを備えて構成され、当該キーが操作されることにより設定された広さの設定値が制御部２７に出力され、制御部２７において、放送信号の波長が当該設定値に対応する波長に変調されるように制御される。これにより、調整部２６は、調整手段として機能する。
【００２３】
制御部２７は、例えば、図３に示すように、ＣＰＵ（Central  Processing  Unit）２７１，ＲＡＭ（Random  Access  Memory）２７２，記憶部２７３等を備えて構成され、符号部２２，ブースタ２３，変調部２４，送受信部２５，調整部２６等と接続され、各部の制御を行うことにより、送信装置２全体の制御を行う。
【００２４】
ＣＰＵ２７１は、記憶部２７３に格納された処理プログラム等を読み出して、ＲＡＭ２７２に展開して実行することにより、送信装置２全体の制御を行う。
【００２５】
ＲＡＭ２７２は、ＣＰＵ２７１により実行された処理プログラム等を、ＲＡＭ２７２内のプログラム格納領域に展開するとともに、入力データや上記処理プログラムが実行される際に生じる処理結果等をデータ格納領域に格納する。
【００２６】
記憶部２７３は、例えば、プログラムやデータ等が予め記憶されている記録媒体（図示せず）を有しており、この記録媒体は、例えば、半導体メモリ等で構成されている。また、記憶部２７３は、ＣＰＵ２７１が送信装置２全体を制御する機能を実現させるための各種データ，各種処理プログラム，これらプログラムの実行により処理されたデータ等を記憶する。より具体的には、記憶部２７３は、例えば、図３に示すように、波長データファイル２７３Ａ，ブーストプログラム２７３Ｂ，変調プログラム２７３Ｃ等を格納している。
【００２７】
波長データファイル２７３Ａには、例えば、当該送信装置２が放送信号を送信する範囲の広さと、当該広さの範囲に放送信号を送信するために必要な当該放送信号の波長とが対応付けられたデータが記憶されている。
【００２８】
ブーストプログラム２７３Ｂは、例えば、ＣＰＵ２７１に、ブースタ２３を制御して、符号部２２から出力される放送信号の振幅の大きさを検出させ、検出した大きさが所定の大きさとなるように、当該放送信号の振幅の大きさを増幅させる機能を実現させるプログラムである。
【００２９】
変調プログラム２７３Ｃは、例えば、ＣＰＵ２７１に、変調部２４を制御して、ブースタ２３から出力される放送信号の波長を、調整部２６から入力された設定値となるように、変調させる機能を実現させるプログラムである。より具体的には、変調プログラム２７３Ｃは、例えば、ＣＰＵ２７１に、調整部２６から入力された放送信号を送信する広さの設定値に基づいて、波長データファイル２７３Ａを参照して当該設定値に対応する波長を抽出し、変調部２４を制御して、ブースタ２３から出力される放送信号の波長を抽出した波長となるように変調させるとともに、送受信部２５を制御して、変調処理において変化させた波長幅を受信装置３に送信させる機能を実現させるプログラムである。ＣＰＵ２７１は、かかる変調プログラム２７３Ｃを実行することにより変調手段の一部として機能する。
【００３０】
電源２８は、例えば、リミッタ２１，符号部２２，ブースタ２３，変調部２４，送受信部２５，制御部２７等と接続されており、当該電源２８がＯＮとなることにより、リミッタ２１，符号部２２，ブースタ２３，変調部２４，送受信部２５，制御部２７がＯＮとなる。また、電源２８は家庭用電源コンセント（図示省略）に接続されることにより、ＯＮとなる。
【００３１】
受信装置３は、例えば、図２に示すように、送受信部３１，復調部３２，復号部３３，分波部３４，制御部３５，検出部３６，電源３７等を備えて構成される。
【００３２】
送受信部３１は、例えば、無線通信により、受信装置３と送信装置２との間の通信を行う。例えば、送受信部３１は、送信装置２から送信される放送信号を受信し、復調部３２に出力する。これにより、送受信部３１は、受信部として機能する。
【００３３】
復調部３２は、例えば、復調回路等を備えて構成され、送受信部３１から出力される放送信号を復調し、復号部３３に出力する。より具体的には、復調部３２は、送信装置２の変調部２４による変調処理において変化させた波長幅に応じて、放送信号を復調する。これにより、復調部３２は、復調手段として機能する。
【００３４】
復号部３３は、例えば、復調部３２から出力された放送信号に復号処理を行って、分波部３４に出力する。これにより、復号部３３は、復号化手段として機能する。
【００３５】
分波部３４は、例えば、復号部３３から出力された放送信号から放送信号受信装置４に出力する放送信号を分波し、放送信号受信装置４に出力する。より具体的には、分波部３４は、復号部３３から出力された放送信号をＦＭ信号，ＡＭ信号，地上デジタル信号，ＢＳ・ＣＳ信号，地上アナログ信号等に分波し、当該受信装置３に接続された放送信号受信装置４に出力する放送信号をＦＭ信号，ＡＭ信号，地上デジタル信号，ＢＳ・ＣＳ信号，地上アナログ信号から選択して、当該放送信号受信装置４に出力する。これにより、分波部３４は、分波手段として機能する。
【００３６】
制御部３５は、例えば、送受信部３１，復調部３２，復号部３３，分波部３４等と接続され、各部の制御を行うことにより、受信装置３全体の制御を行う。
【００３７】
検出部３６は、例えば、放送信号受信装置４の電源４２（後述）及び当該受信装置３の電源３７と接続され、放送信号受信装置４の電源４２がＯＮとなったことを検出した場合に、受信装置３の電源３７をＯＮとする。
【００３８】
電源３７は、例えば、送受信部３１，復調部３２，復号部３３，分波部３４，制御部３５等と接続されており、当該電源３７がＯＮとなることにより、送受信部３１，復調部３２，復号部３３，分波部３４，制御部３５がＯＮとなる。また、電源３７のＯＮ／ＯＦＦは、検出部３６により制御される。
【００３９】
放送信号受信装置４は、例えば、チューナ４１，電源４２等を備えて構成され、受信装置３から放送信号がチューナ４１に出力され、当該チューナ４１により、ユーザが所望する放送信号が選局される。また、電源４２は家庭用電源コンセント（図示省略）に接続されることにより、ＯＮとなる。
【００４０】
次に、上述のような構成の放送信号受信システム１００の放送信号受信動作について、図４に示すフローチャートを参照しながら説明する。
まず、アンテナ１から放送信号がリミッタ２１を介して符号部２２に出力され、符号部２２において符号処理され、ブースタ２３に出力される（ステップＳ１）。次に、ＣＰＵ２７１がブーストプログラム２７３Ｂを実行することにより、ブースタ２３において、放送信号が増幅され、変調部２４に出力される（ステップＳ２）。次に、ＣＰＵ２７１が変調プログラム２７３Ｃを実行することにより、変調部２４において、放送信号の波長が調整部２６に設定された設定値となるように、放送信号が変調され、送受信部２５に出力される（ステップＳ３）。次に、送受信部２５により放送信号が受信装置に送信され（ステップＳ４）、送受信部３１により受信され、復調部３２に出力される（ステップＳ５）。次に、放送信号が復調部３２において復調され（ステップＳ６）、復号部３３に出力される（ステップＳ７）。次に、復号部３３において、放送信号が復号処理され、分波部３４に出力される（ステップＳ８）。次に、分波部３４において、放送信号が分波され、放送信号受信装置４に出力される（ステップＳ９）。
【００４１】
以上に説明した本発明に係る放送信号受信システム１００によれば、送信装置２において、符号部２２により、アンテナ１から出力される放送信号が符号化され、ＣＰＵ２７１が変調プログラム２７３Ｃを実行することにより、変調部２４よって符号化された放送信号の波長がｃｍ波帯に変調され、送受信部２５により、変調された放送信号が受信装置３に無線により送信され、受信装置３において、送受信部３１により、送信装置２から送信された放送信号が受信され、復調部３２により、放送信号が復調され、復号部３３により、復調された放送信号が復号化される。従って、送信装置２から送信される放送信号がｃｍ波帯に変調されているので、小さい一戸建てやマンション等で隣家に当該放送信号が漏れてしまうことを防ぐことができるとともに、ｃｍ波帯に変調された放送信号は壁等に遮断されてしまうことなく各受信装置３に放送信号を送信することができることとなって、家の外への放送信号の漏れを防止するとともに、各部屋の機器へ放送信号を確実に送信することができる。
また、送信装置２から受信装置３へは、放送信号が無線により送信されるので、アンテナ端子と各機器をケーブルにより接続しなくてもよく、各部屋の機器へ放送信号を無線により簡便に送信することができる。
【００４２】
また、分波部３４により、復号部３３によって復号化された放送信号が分波されて放送信号受信装置４に出力されるので、送信装置から送信される放送信号が、例えば、ＦＭ信号，ＡＭ信号，地上デジタル信号，ＢＳ・ＣＳ信号，地上アナログ信号等が混合されたものであっても、各放送信号受信装置４に必要な放送信号に分波することができる。
【００４３】
また、変調部２４は、調整部２６により設定された波長に符号部２２により符号化された放送信号を変調するので、調整部２６により放送信号を送信する範囲に応じて変調する放送信号の波長を設定することができ、より確実に家の外への放送信号の漏れを防止するとともに、より確実に各部屋の機器へ放送信号を送信することができる。
【００４４】
なお、受信装置３の電源３７がＯＮとなったことを受信装置３から送信装置２に通知し、通知を受けることにより、送信装置２の電源２８がＯＮとなるようにしてもよい。
また、送信装置２と受信装置３との間の通信は、近赤外の光波により行われてもよい。
【図面の簡単な説明】
【００４５】
【図１】本発明に係る放送信号受信システムを示すブロック図である。
【図２】本発明に係る放送信号受信システムの内部構成を示すブロック図である。
【図３】本発明に係る送信装置の内部構成を示すブロック図である。
【図４】本発明に係る放送信号受信システムの放送信号受信動作を説明するためのフローチャートである。
【符号の説明】
【００４６】
１  アンテナ
２  送信装置
３  受信装置
４  放送信号受信装置
２２  符号部（符号化手段）
２４  変調部（変調手段）
２５  送受信部（送信部）
２６  調整部（調整手段）
２７１  ＣＰＵ（変調手段）
２７３Ｃ  変調プログラム（変調手段）
３１  送受信部（受信部）
３２  復調部（復調手段）
３３  復号部（復号手段）
３４  分波部（分波手段）
１００  放送信号受信システム
【図１】
2007195003.tif 000003
【図２】
2007195003.tif 000004
【図３】
2007195003.tif 000005
【図４】
2007195003.tif 000006